【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
コンテンツ配信システムであって、
複数のチャンネルの出力を動的に複製する変調器と、
前記複数のチャンネルの１つに各々が個別に同調し得る複数の受信機であって、単一のトランスポート・ストリームが前記複数のチャンネル上で該複数の受信機の所望の受信機の各々に送られることが可能であり、この配信が複数のモードで行われることが可能である、該複数の受信機と、
ユーザ・インタフェースであって、前記受信機の各々を該ユーザ・インタフェースを介して前記複数のチャンネルの１つに同調することができるように、前記コンテンツ配信システムのマネージャが該ユーザ・インタフェースを用いて各々の前記受信機上のチャンネルを動的に変更することを可能にする該ユーザ・インタフェースと、
を備える、前記コンテンツ配信システム。
【請求項２】
単一のトランスポートが、ＭＰＥＧ２データストリーム、ＭＰＥＧ４データストリーム、ＤＶＢデータストリーム、ＡＲＩＢデータストリーム、ＡＴＳＣデータストリーム、ＩＰデータストリーム、ＩＰマルチキャスト・データストリーム、および、アドレス指定可能チャンネル・コントローラ・データストリームのうちの１つの形式をなしている、請求項１に記載の前記コンテンツ配信システム。
【請求項３】
前記ユーザ・インタフェースがドラッグ・アンド・ドロップ・モードを用いる、請求項２に記載の前記コンテンツ配信システム。
【請求項４】
前記ユーザ・インタフェースが、第１の側にモニタが描写され、第２の側にテレビ・チャンネルが描写された２つの部分を含む視覚ディスプレイを有する、請求項３に記載の前記コンテンツ配信システム。
【請求項５】
前記システムが、各々の前記受信機に対して固定されたチャンネルを含む第１のモードで動作され、かつ、チャンネルが静的に同調される、請求項２に記載の前記コンテンツ配信システム。
【請求項６】
前記システムが、ＩＰストリームを含む第２のモードで動作される、請求項２に記載の前記コンテンツ配信システム。
【請求項７】
前記システムが、アドレス指定可能チャンネルを含む第３のモードで動作される、請求項２に記載の前記コンテンツ配信システム。
【請求項８】
コンテンツ配信システムにおいて受信機を同調する方法であって、
単一のトランスポート・ストリームで受信された複数のチャンネルの出力を動的に複製するステップと、
前記複数のチャンネルの１つに同調するステップであって、該単一のトランスポート・ストリームが前記複数のチャンネルで送られることが可能であり、この配信が複数のモードで行われることが可能である、該ステップと、
ユーザ・インタフェースを介して入力したコマンドに従って前記複数のチャンネルの各々に同調できるように、該ユーザ・インタフェースを用いて前記チャンネルを動的に変更するステップ
を含む、前記方法。
【請求項９】
単一のトランスポートが、ＭＰＥＧ２データストリーム、ＭＰＥＧ４データストリーム、ＤＶＢデータストリーム、ＡＲＩＢデータストリーム、ＡＴＳＣデータストリーム、ＩＰデータストリーム、ＩＰマルチキャスト・データストリーム、および、アドレス指定可能チャンネル・コントローラ・データストリームのうちの１つの形式をなしている、請求項８に記載の前記方法。
【請求項１０】
前記ユーザ・インタフェースがドラッグ・アンド・ドロップ・モードを用いる、請求項９に記載の方法。
【請求項１１】
前記ユーザ・インタフェースが、第１の側にモニタが描写され、第２の側にテレビ・チャンネルが描写された２つの部分を含む視覚ディスプレイを有する、請求項１０に記載の方法。
【請求項１２】
前記システムが、各々の前記受信機に対して固定された、かつ、静的に同調されるチャンネルを含む第１のモードで動作される、請求項９に記載の方法。
【請求項１３】
前記システムが、ＩＰストリームを含む第２のモードで動作される、請求項９に記載の方法。
【請求項１４】
前記システムが、アドレス指定可能チャンネルを含む第３のモードで動作される、請求項９に記載の方法。
【請求項１５】
複数のモード間の切り替えを行うように適応でき、かつ、複数のチャンネル情報を一環境内の複数の受信機に送るために単一のトランスポート・ストリームを用いるマルチモード・コンテンツ配信システム用のユーザ・インタフェースであって、前記ストリーム内の出力チャンネルを示すブロックを備え、該出力チャンネルは、その各々が受信機に同調し得る、かつ、前記ユーザ・インタフェースのユーザによって切り替え得る、前記ユーザ・インタフェース。
【請求項１６】
ドラッグ・アンド・ドロップ機能を更に備え、該ドラッグ・アンド・ドロップ機能は、前記ユーザ・インタフェースのユーザが、ドラッグされるチャンネルを視聴することが望まれる受信機を示す箇所にまで該チャンネルをドラッグできるようにする、請求項１５に記載の前記ユーザ・インタフェース。
【請求項１７】
個々の受信機が固定されたチャンネルに静的に同調される、請求項１６に記載の前記ユーザ・インタフェース。
【請求項１８】
前記システムがマルチキャスト・モードで動作される場合、前記システムにおける個々の前記受信機を示すブロックを更に備える、請求項１６に記載の前記ユーザ・インタフェース。
【請求項１９】
前記受信機が前記トランスポート・ストリームを直接受信できない場合、個々の前記受信機が別個の変換器信号によって同調される、請求項１６に記載の前記ユーザ・インタフェース。
【請求項２０】
前記受信機の各々に対して固有の受信機識別子（ＲＩＤ）を示す識別子ブロックを更に備える、請求項１９に記載の前記ユーザ・インタフェース。
【手続補正２】
【補正対象書類名】明細書
【補正対象項目名】発明の名称
【補正方法】変更
【補正の内容】
【発明の名称】コンテンツ配信システム、同調方法及びユーザ・インタフェース
【手続補正３】
【補正対象書類名】明細書
【補正対象項目名】００６１
【補正方法】変更
【補正の内容】
【００６１】
以上、本発明に従って提供されるコンテンツ配信システムについてのシステム、装置、および、ユーザ・インタフェースのある特定の推奨実施形態を説明した。推奨実施形態を説明し開示したが、当業者であれば、本発明の意図と権利の範囲内で変更又は修正が可能であることが分かるであろう。
以下、上記の実施形態に関する付記を例示的に示す。
（付記１）
コンテンツ配信システムであって、
複数のチャンネルの出力を動的に複製する変調器と、
前記複数のチャンネルの１つに各々が個別に同調し得る複数の受信機であって、単一のトランスポート・ストリームが前記複数のチャンネル上で該複数の受信機の所望の受信機の各々に送られることが可能であり、この配信が複数のモードで行われることが可能である、該複数の受信機と、
ユーザ・インタフェースであって、前記受信機の各々を該ユーザ・インタフェースを介して前記複数のチャンネルの１つに同調することができるように、前記コンテンツ配信システムのマネージャが該ユーザ・インタフェースを用いて各々の前記受信機上のチャンネルを動的に変更することを可能にする該ユーザ・インタフェースと、
を備える、前記コンテンツ配信システム。
（付記２）
単一のトランスポートが、ＭＰＥＧ２データストリーム、ＭＰＥＧ４データストリーム、ＤＶＢデータストリーム、ＡＲＩＢデータストリーム、ＡＴＳＣデータストリーム、ＩＰデータストリーム、ＩＰマルチキャスト・データストリーム、および、アドレス指定可能チャンネル・コントローラ・データストリームのうちの１つの形式をなしている、付記１に記載の前記コンテンツ配信システム。
（付記３）
前記ユーザ・インタフェースがドラッグ・アンド・ドロップ・モードを用いる、付記２に記載の前記コンテンツ配信システム。
（付記４）
前記ユーザ・インタフェースが、第１の側にモニタが描写され、第２の側にテレビ・チャンネルが描写された２つの部分を含む視覚ディスプレイを有する、付記３に記載の前記コンテンツ配信システム。
（付記５）
前記システムが、各々の前記受信機に対して固定されたチャンネルを含む第１のモードで動作され、かつ、チャンネルが静的に同調される、付記２に記載の前記コンテンツ配信システム。
（付記６）
前記システムが、ＩＰストリームを含む第２のモードで動作される、付記２に記載の前記コンテンツ配信システム。
（付記７）
前記システムが、アドレス指定可能チャンネルを含む第３のモードで動作される、付記２に記載の前記コンテンツ配信システム。
（付記８）
コンテンツ配信システムにおいて受信機を同調する方法であって、
単一のトランスポート・ストリームで受信された複数のチャンネルの出力を動的に複製するステップと、
前記複数のチャンネルの１つに同調するステップであって、該単一のトランスポート・ストリームが前記複数のチャンネルで送られることが可能であり、この配信が複数のモードで行われることが可能である、該ステップと、
ユーザ・インタフェースを介して入力したコマンドに従って前記複数のチャンネルの各々に同調できるように、該ユーザ・インタフェースを用いて前記チャンネルを動的に変更するステップ
を含む、前記方法。
（付記９）
単一のトランスポートが、ＭＰＥＧ２データストリーム、ＭＰＥＧ４データストリーム、ＤＶＢデータストリーム、ＡＲＩＢデータストリーム、ＡＴＳＣデータストリーム、ＩＰデータストリーム、ＩＰマルチキャスト・データストリーム、および、アドレス指定可能チャンネル・コントローラ・データストリームのうちの１つの形式をなしている、付記８に記載の前記方法。
（付記１０）
前記ユーザ・インタフェースがドラッグ・アンド・ドロップ・モードを用いる、付記９に記載の前記コンテンツ配信システム。
（付記１１）
前記ユーザ・インタフェースが、第１の側にモニタが描写され、第２の側にテレビ・チャンネルが描写された２つの部分を含む視覚ディスプレイを有する、付記１０に記載の前記コンテンツ配信システム。
（付記１２）
前記システムが、各々の前記受信機に対して固定された、かつ、静的に同調されるチャンネルを含む第１のモードで動作される、付記９に記載の前記コンテンツ配信システム。
（付記１３）
前記システムが、ＩＰストリームを含む第２のモードで動作される、付記９に記載の前記コンテンツ配信システム。
（付記１４）
前記システムが、アドレス指定可能チャンネルを含む第３のモードで動作される、付記９に記載の前記コンテンツ配信システム。
（付記１５）
複数のモード間の切り替えを行うように適応でき、かつ、複数のチャンネル情報を一環境内の複数の受信機に送るために単一のトランスポート・ストリームを用いるマルチモード・コンテンツ配信システム用のユーザ・インタフェースであって、前記ストリーム内の出力チャンネルを示すブロックを備え、該出力チャンネルは、その各々が受信機に同調し得る、かつ、前記ユーザ・インタフェースのユーザによって切り替え得る、前記ユーザ・インタフェース。
（付記１６）
ドラッグ・アンド・ドロップ機能を更に備え、該ドラッグ・アンド・ドロップ機能は、前記ユーザ・インタフェースのユーザが、ドラッグされるチャンネルを視聴することが望まれる受信機を示す箇所にまで該チャンネルをドラッグできるようにする、付記１５に記載の前記ユーザ・インタフェース。
（付記１７）
個々の受信機が固定されたチャンネルに静的に同調される、付記１６に記載の前記ユーズ・インタフェース。
（付記１８）
前記システムがマルチキャスト・モードで動作される場合、前記システムにおける個々の前記受信機を示すブロックを更に備える、付記１６に記載の前記ユーザ・インタフェース。
（付記１９）
前記受信機が前記トランスポート・ストリームを直接受信できない場合、個々の前記受信機が別個の変換器信号によって同調される、付記１６に記載の前記ユーザ・インタフェース。
（付記２０）
前記受信機の各々に対して固有の受信機識別子（ＲＩＤ）を示す識別子ブロックを更に備える、付記１９に記載の前記ユーザ・インタフェース。